(57)【要約】      （修正有）【課題】風の抵抗を低減でき、完全な裏返しによる損傷・破壊を回避し、裏返し前の湾曲状に復元することができる自動復帰付き二段折式逆さま傘を提供する。【解決手段】自動復帰付き二段折式逆さま傘は、中心棒１と、傘骨組２と、湾曲復帰装置３とを備え、湾曲復帰装置３を利用して傘骨組２上に設置され、傘骨組２の張架骨２１と平張り骨２２とを展開するとき、平張り骨２２によって張架骨２１の展開距離を制限するので、張架骨２１に湾曲を生じさせると共に、傘骨の張架骨２１が風の抵抗を受けるときの裏返し距離を制限することを利用すると共に、張架骨２１の展開時に生じる弾性復位能力を利用することにより、風の抵抗を低減させたり、消滅させたりするとき、元の展開状態に自動復帰することができる。【選択図】図６
0003232519.tif 000002
【実用新案登録請求の範囲】
【請求項１】
棒体１１と、棒体１１に外嵌接続される摺動部材１２とを有する中心棒１と、複数本の張架骨２１と、複数本の平張り骨２２と、複数本の支え骨２３とを有する傘骨組２と、止着部３１と、位置規制部材３２と、当止部３３とを有する湾曲復帰装置３とを備える自動復帰付き二段折式逆さま傘であって、
張架骨２１と平張り骨２２は、弾性復帰能力を持つ材質で作製され、各張架骨２１は、第１張架区間２１１と第２張架区間２１２とを相互に枢結して形成され、かつ第１張架区間２１１は、棒体１１の末端に連結され、各張り骨２２は、摺動部材１２に連結され、各支え骨２３の一端が摺動部材１２に連結され、各支え骨２３の他端が張架骨２１の第１張架区間２１１に連結され、
止着部３１と当止部３３は、傘骨組２の第２張架区間２１２の両端の間に凸設され、かつ止着部３１は、当止部３３に相対してより第２張架区間２１２の末端に近寄ることで、第２張架区間２１２において、止着部３１と第２張架区間２１２の末端との間に第１摺動部２１３が形成され、かつ止着部３１と当止部３３との間に第２摺動部２１４が形成され、位置規制部材３２は、一側が平張り骨２２の末端に連結され、かつ他側が第２張架区間２１２に摺設され、位置規制部材３２が第１摺動部２１３において止着部３１に当接するまで摺動するとき、第１位置決め状態が形成され、位置規制部材３２が第１摺動部２１３から止着部３１を通り越して第２摺動部２１４に滑り込むと共に、当止部３３に当接するまで摺動するとき、第２位置決め状態が形成され、第２張架区間２１２の第１摺動部２１３と第２摺動部２１４は、湾曲弾性変形方式で風の抵抗を低減し、風の抵抗が弱まった後に、位置規制部材３２を第１位置決め状態に復帰させることを特徴とする、自動復帰付き二段折式逆さま傘。
【請求項２】
前記位置規制部材３２の内部に中空部３２１が形成され、かつ中空部３２１の内壁に係合掛止部３２２が凸設され、位置規制部材３２と止着部３１とが当接して第１位置決め状態が形成されるとき、止着部３１は、位置規制部材３２の係合掛止部３２２に当接することを特徴とする、請求項１に記載の自動復帰付き二段折式逆さま傘。
【請求項３】
傘骨組２は、複数本の連結骨２４を有し、各連結骨２４の一端が第１張架区間２１１と第２張架区間２１２との間に枢結され、各連結骨２４の他端が前述の平張り骨２２の両端の間に連結され、かつ前記連結骨２４と支え骨２３との間に弾性部品２５が連結され、弾性部品２５は、連結骨２４と支え骨２３とを相互に近寄せるように引っ張る弾性力を持ち、傘骨組２が展開され、かつ第１張架区間２１１と第２張架区間２１２とが湾曲状に形成されているとき、張架骨２１は、連結骨２４を連動して平張り骨２２を湾曲状に形成させることを特徴とする、請求項１に記載の自動復帰付き二段折式逆さま傘。
【考案の詳細な説明】
【技術分野】
【０００１】
本考案は、自動復帰付き二段折式逆さま傘に係り、特に、傘骨の張架骨が風の抵抗を受けるときの裏返し距離を制限することを利用すると共に、張架骨の展開時に生じる弾性復位能力を利用することにより、風の抵抗を低減させたり、消滅させたりするとき、元の展開状態に自動復帰することができるものに関する。
【背景技術】
【０００２】
一般の逆さま傘の傘骨は、傘骨の張架骨上に設けられる弾性部分を利用して、傘骨の展開時に弾性部品に圧縮を生じさせるので、弾性部品の復位能力に応じて張架骨を連動して湾曲させ、このような手段では、弾性部品の設置コストを増加させ、かつ組み立てが容易ではないため、全体のコストが嵩むことになり、かつ弾性部品を一定時間使用した後、弾性疲労により作用効果を失うこととなる。そのうえ、このような手段は、風の抵抗が大きすぎると、裏返しに起因する損傷・破壊を引き起こすことになる。
【考案の概要】
【考案が解決しようとする課題】
【０００３】
本考案の主要な目的は、湾曲復帰装置を利用して傘骨組上に設置され、傘骨組の張架骨と平張り骨とを展開するとき、平張り骨によって張架骨の展開距離を制限するので、湾曲を生じさせると共に、風の抵抗を受けるとき、張架骨の裏返し距離を制限すると共に、張架骨の展開時に生じる弾性復位能力を利用することにより、風の抵抗を低減させたり、消滅させたりするとき、元の展開状態に自動復帰することができる、自動復帰付き二段折式逆さま傘を提供することである。
【課題を解決するための手段】
【０００４】
上記の目的を達成するために、本考案の自動復帰付き二段折式逆さま傘は、中心棒と、傘骨組と、湾曲復帰装置とを備え、前記湾曲復帰装置は、止着部と、位置規制部材と、当止部とを有し、止着部と当止部は、傘骨組の第２張架区間の両端の間に凸設され、かつ止着部は、当止部に相対してより第２張架区間の末端に近寄ることで、第２張架区間において、止着部と第２張架区間の末端との間に第１摺動部が形成され、かつ止着部と当止部との間に第２摺動部が形成され、位置規制部材は、一側が平張り骨の末端に連結され、かつ他側が第２張架区間に摺設され、位置規制部材が第１摺動部において止着部に当接するまで摺動するとき、第１位置決め状態が形成され、位置規制部材が第１摺動部から止着部を通り越して第２摺動部に滑り込むと共に、当止部に当接するまで摺動するとき、第２位置決め状態が形成され、第２張架区間の第１摺動部と第２摺動部は、湾曲弾性変形方式で風の抵抗を低減し、風の抵抗が弱まった後に、位置規制部材を第１位置決め状態に復帰させる。
【０００５】
前述の自動復帰付き二段折式逆さま傘において、前記位置規制部材の内部に中空部が形成され、かつ中空部の内壁に係合掛止部が凸設され、位置規制部材と止着部とが当接して第１位置決め状態が形成されるとき、止着部は、位置規制部材の係合掛止部に当接する。
【０００６】
前述の自動復帰付き二段折式逆さま傘において、傘骨組は、複数本の連結骨を有し、各連結骨の一端が第１張架区間と第２張架区間との間に枢結され、各連結骨の他端が前述の平張り骨の両端の間に連結され、かつ前記連結骨と支え骨との間に弾性部品が連結され、弾性部品は、連結骨と支え骨とを相互に近寄せるように引っ張る弾性力を持ち、傘骨組が展開され、かつ第１張架区間と第２張架区間とが湾曲状に形成されているとき、張架骨は、連結骨を連動して平張り骨を湾曲状に形成させる。
【考案の効果】
【０００７】
本考案によれば、湾曲復帰装置を利用して傘骨組上に設置され、傘骨組の張架骨と平張り骨とを展開するとき、平張り骨によって張架骨の展開距離を制限するので、張架骨に湾曲を生じさせると共に、傘骨の張架骨が風の抵抗を受けるときの裏返し距離を制限することを利用すると共に、張架骨の展開時に生じる弾性復位能力を利用することにより、風の抵抗を低減させたり、消滅させたりするとき、元の展開状態に自動復帰することができる。
【図面の簡単な説明】
【０００８】
【図１】本考案の二段折式傘を逆方向に収束するときの外観図である。
【図２】本考案の二段折式傘を逆方向に展張するときの外観図である。
【図３】図２のＡ部分の拡大図である。
【図４】本考案の位置規制部材の一部断面図である。
【図５】本考案の湾曲復帰装置に第１位置決め状態が形成されるときの一部断面斜視図である。
【図６】本考案の湾曲復帰装置に第２位置決め状態が形成されるときの外観図である。
【考案を実施するための形態】
【０００９】
図１〜図５を参照して、本考案には、中心棒１と、傘骨組２と、湾曲復帰装置３と、傘天幕４とが設置される。
【００１０】
その内、中心棒１は、棒体１１と、棒体１１の一端に連結される握柄１３と、棒体１１に外嵌接続されると共に、往復変位可能な摺動部材１２とを有し、かつ摺動部材１２上に握柄１３から離間する側方に上ハニカム１２１が設置され、他側方に下ハニカム１２２が設置される。
【００１１】
傘骨組２は、複数本の張架骨２１と、複数本の平張り骨２２と、複数本の支え骨２３と、複数本の連結骨２４と、複数個の弾性部品２５とを有し、張架骨２１と平張り骨２２は、弾性復帰能力を持つ材質で作製され、各張架骨２１は、第１張架区間２１１と第２張架区間２１２とを相互に枢結して形成され、かつ第１張架区間２１１は、棒体１１の末端に連結され、各張り骨２２の一端が中心棒１の摺動部材１２の下ハニカム１２２に連結され、各支え骨２３の一端が摺動部材１２に連結され、各支え骨２３の他端が張架骨２１の第１張架区間２１１に連結され、各連結骨２４の一端が第１張架区間２１１と第２張架区間２１２との間に枢結され、各連結骨２４の他端が平張り骨２２の両端の間に連結され、かつ前記連結骨２４と支え骨２３との間に弾性部品２５が連結される。
【００１２】
湾曲復帰装置３は、止着部３１と、位置規制部材３２と、当止部３３とを有し、止着部３１と当止部３３は、傘骨組２の第２張架区間２１２の両端の間に凸設され、かつ止着部３１は、当止部３３に相対してより第２張架区間２１２の末端に近寄ることで、第２張架区間２１２において、止着部３１と第２張架区間２１２の末端との間に第１摺動部２１３が形成され、かつ止着部３１と当止部３３との間に第２摺動部２１４が形成され、そして位置規制部材３２の内部に中空部３２１が形成されると共に、中空部３２１によって位置規制部材３２が第１摺動部２１３に外嵌され、かつ位置規制部材３２は、中空部３２１の内壁に係合掛止部３２２が凸設され、しかも位置規制部材３２は、一側が平張り骨２２の末端に連結され、かつ他側が第２張架区間２１２に摺設される。
【００１３】
傘天幕４は、傘用表布４１と傘用裏布４２とを有し、傘用表布４１は、張架骨２１の上方に連結され、傘用表布４１の末端に外連結部材４３が連結され、外連結部材４３は、第２張架区間２１２の末端に連結され、傘用裏布４２は、平張り骨２２の下方に連結され、傘用裏布４２の末端に内連結部材４４が連結され、内連結部材４４は、平張り骨２２の末端に連結される。
【００１４】
図１を参照して、傘骨組２を閉じ合わせる状態になるとき、張架骨２１の第１張架区間２１１と第２張架区間２１２を棒体１１に束ね併せて近寄らせ、かつ弾性部品２５に持たせる連結骨２４と支え骨２３とを相互に近寄せるように引っ張る弾性力に応じて、平張り骨２２を同時に棒体１１に近寄らせる。図２〜図５を参照し、図示のように、傘骨組２を展開するとき、摺動部材１２を握柄１３から離間して変位させるように押動し、上ハニカム１２１と下ハニカム１２２とを利用して摺動部材１２の変位に応じて、平張り骨２２と支え骨２３とを連動することで、支え骨２３で第１張架区間２１１を押動して第２張架区間２１２を棒体１１から離間する方向に向けて延伸させ、かつ平張り骨２２を位置規制部材３２と連動して第１摺動部２１３において摺動させ、そして位置規制部材３２が第１摺動部２１３において止着部３１に当接するまで摺動するとき、第１位置決め状態が形成され、この時の止着部３１は、位置規制部材３２の係合掛止部３２２に当接し、かつ第１張架区間２１１と第２張架区間２１２は、支え骨２３の突き押し作用を受けて、第１張架区間２１１と第２張架区間２１２は、湾曲復帰装置３からの位置規制を受けるに加えて、支え骨２３の突き押しをも受けるので、第１張架区間２１１と第２張架区間２１２とを湾曲状に形成させ、かつ止着部３１がより第２張架区間２１２の末端に近寄るので、第１張架区間２１１と第２張架区間２１２は、より円滑な湾曲状となるように形成されている。さらに、傘骨組２が展開され、かつ第１張架区間２１１と第２張架区間２１２とが湾曲状に形成されているとき、張架骨２１は、連結骨２４を連動して平張り骨２２を湾曲状に形成させる。
【００１５】
図２、図５と図６を参照して、傘骨組２を拡開状になるように展開させ、かつ風の抵抗により第２張架区間２１２の末端を裏返しさせるとき、第２張架区間２１２で位置規制部材３２を押動することで、位置規制部材３２が第１摺動部２１３から止着部３１を通り越して第２摺動部２１４に滑り込むと共に、当止部３３に当接するまで摺動するとき、第２位置決め状態が形成され、この時、第２張架区間２１２の第１摺動部２１３と第２摺動部２１４は、湾曲弾性変形方式で風の抵抗を低減することができるので、第１位置決め状態から第２位置決め状態へと変化させるとき、第２張架区間２１２の第１摺動部２１３と第２摺動部２１４は、湾曲弾性変形の形状が裏返し可能であることを利用することにより、このため、第２張架区間２１２の末端の裏返し距離を増加することができ、しかも風の抵抗を大量に低減することができ、傘骨組２の完全な裏返しによる損傷・破壊を回避することができ、かつ風の抵抗が弱まったか、または消滅した後、第２張架区間２１２は、弾性復位能力に応じて裏返し前の湾曲状に復元することができると共に、位置規制部材３２を止着部３１に当接するまで変位させるように押動して第１位置決め状態に復帰させ、第１張架区間２１１と第２張架区間２１２は、より円滑な湾曲状となるように形成されている。
【符号の説明】
【００１６】
１：中心棒
１１：棒体
１２：摺動部材
１２１：上ハニカム
１２２：下ハニカム
１３：握柄
２：傘骨組
２１：張架骨
２１１：第１張架区間
２１２：第２張架区間
２１３：第１摺動部
２１４：第２摺動部
２２：平張り骨
２３：支え骨
２４：連結骨
２５：弾性部品
３：湾曲復帰装置
３１：止着部
３２：位置規制部材
３２１：中空部
３２２：係合掛止部
３３：当止部
４：傘天幕
４１：傘用表布
４２：傘用裏布
４３：外連結部材
４４：内連結部材
【図１】
0003232519.tif 000003
【図２】
0003232519.tif 000004
【図３】
0003232519.tif 000005
【図４】
0003232519.tif 000006
【図５】
0003232519.tif 000007
【図６】
0003232519.tif 000008
【手続補正書】
【提出日】令和3年3月26日(2021.3.26)
【手続補正１】
【補正対象書類名】実用新案登録請求の範囲
【補正対象項目名】全文
【補正方法】変更
【補正の内容】
【実用新案登録請求の範囲】
【請求項１】
棒体１１と、棒体１１に外嵌接続される摺動部材１２と、を有する中心棒１と、
複数本の張架骨２１と、複数本の平張り骨２２と、複数本の支え骨２３と、を有する傘骨組２と、
止着部３１と、位置規制部材３２と、当止部３３と、を有する湾曲復帰装置３と、を備える自動復帰付き二段折式逆さま傘であって、
張架骨２１と平張り骨２２とは、弾性復帰能力を持つ材質で作製され、
各張架骨２１は、第１張架区間２１１と第２張架区間２１２とを相互に枢結して形成され、かつ第１張架区間２１１は、棒体１１の末端に連結され、各平張り骨２２は、摺動部材１２に連結され、各支え骨２３の一端が摺動部材１２に連結され、各支え骨２３の他端が張架骨２１の第１張架区間２１１に連結され、
止着部３１と当止部３３は、傘骨組２の第２張架区間２１２の両端の間に凸設され、かつ止着部３１は、当止部３３よりも第２張架区間２１２の末端に近い位置に設けられており、
第２張架区間２１２において、止着部３１と第２張架区間２１２の末端との間に第１摺動部２１３が形成され、かつ止着部３１と当止部３３との間に第２摺動部２１４が形成され、
位置規制部材３２は、一側が平張り骨２２の末端に連結され、かつ他側が第２張架区間２１２に摺設されており、
位置規制部材３２が第１摺動部２１３を摺動して止着部３１に当接したときに位置規制部材３２の摺動が停止して第１位置決め状態となり、
風の抵抗が強くなって張架骨２１および平張り骨２２が湾曲する際には、位置規制部材３２が第１摺動部２１３から止着部３１を通り越して第２摺動部２１４に滑り込み、位置規制部材３２が第２摺動部２１４を摺動して当止部３３に当接したときに第２位置決め状態となり、
さらに、風の抵抗が弱まったときには、張架骨２１および平張り骨２２の弾性復帰能力により、位置規制部材３２が第２摺動部２１４を逆に摺動して第１位置決め状態に復帰する
ことを特徴とする自動復帰付き二段折式逆さま傘。
【請求項２】
請求項１に記載の自動復帰付き二段折式逆さま傘において、
前記位置規制部材３２の内部に中空部３２１が形成され、かつ中空部３２１の内壁に係合掛止部３２２が凸設され、
止着部３１が位置規制部材３２の係合掛止部３２２に当接することによって位置規制部材３２の摺動が停止して前記第１位置決め状態となる
とを特徴とする自動復帰付き二段折式逆さま傘。
【請求項３】
請求項１に記載の自動復帰付き二段折式逆さま傘において、
傘骨組２は、複数本の連結骨２４を有し、
各連結骨２４の一端が第１張架区間２１１と第２張架区間２１２との間に枢結され、
各連結骨２４の他端が前記平張り骨２２の両端の間に連結され、かつ前記連結骨２４と支え骨２３との間に弾性部品２５が連結され、
弾性部品２５は、連結骨２４と支え骨２３とを相互に近寄せるように引っ張る弾性力を持ち、
傘骨組２が展開され、かつ第１張架区間２１１と第２張架区間２１２とが湾曲するとき、張架骨２１は、連結骨２４を連動して平張り骨２２を湾曲させる
ことを特徴とする自動復帰付き二段折式逆さま傘。